(57)【要約】【課題】遠隔からのデータに基づいて表示を行う表示装置に順次表示されていく表示データを認識しやすくさせる。【解決手段】入力を感知するタッチパネルへの被感知手段による入力操作に応じて、受信側端末装置に表示させる表示情報を表示する表示部と、前記受信側端末装置に表示させる表示情報を送信する通信制御部と、入力情報を感知するタッチパネルへの前記被感知手段による近接状態を検出する近接状態検出部と、前記近接状態検出部が前記被感知手段による近接情報を検出すると、前記受信側端末装置において表示させるガイド表示情報を生成するガイド表示情報生成部と、を有し、前記通信制御部は、前記表示情報と前記ガイド表示情報とを送信することを特徴とする送信側端末装置。【選択図】図１
2015053597.tif 000002
【特許請求の範囲】
【請求項１】
入力を感知するタッチパネルへの被感知手段による入力操作に応じて、受信側端末装置に表示させる表示情報を表示する表示部と、
前記受信側端末装置に表示させる表示情報を送信する通信制御部と、
入力情報を感知するタッチパネルへの前記被感知手段による近接状態を検出する近接状態検出部と、
前記近接状態検出部が前記被感知手段による近接情報を検出すると、前記受信側端末装置において表示させるガイド表示情報を生成するガイド表示情報生成部と、を有し、
前記通信制御部は、前記表示情報と前記ガイド表示情報とを送信することを特徴とする送信側端末装置。
【請求項２】
前記被感知手段と前記タッチパネルとの近接距離に依存する電圧値を測定する電圧測定部を有し、
前記ガイド表示情報生成部は、
前記電圧測定部による電圧値がピークとなる前記タッチパネルにおける位置を、前記タッチパネルにおける前記被感知手段が近接する中心座標位置として求める中心座標位置検出部を有することを特徴とする請求項１に記載の送信側端末装置。
【請求項３】
前記被感知手段と前記タッチパネルとの近接距離に依存する電圧値を測定する電圧測定部を有し、
前記ガイド表示情報生成部は、
前記電圧測定部による電圧値に応じて、前記タッチパネルから前記被感知手段までの距離を求める高さ検出部を有することを特徴とする請求項１に記載の送信側端末装置。
【請求項４】
送信側端末装置から送られた表示情報を受信する通信制御部と、
前記表示情報に関連付けされたガイド表示情報が検出されると、前記ガイド表示情報に基づくガイド表示を、前記表示情報に基づく表示とともに表示部に表示させるガイド表示決定部と
を有することを特徴とする受信側端末装置。
【請求項５】
前記ガイド表示決定部は、
前記ガイド表示情報に高さ情報値が関連付けされている場合には、前記高さ情報値に応じて前記ガイド表示の濃度又は大きさの少なくともいずれか一方を決定することを特徴とする請求項４に記載の受信側端末装置。
【発明の詳細な説明】
【技術分野】
【０００１】
本発明は、端末装置に関し、特に、表示部を有する送信側及び受信側の端末装置間の表示制御技術に関する。
【背景技術】
【０００２】
従来から、会議を効率的に進めるため、あるいは、会議出席者に共通の情報を伝達するために、容易に書き換え（描画、消去）できるホワイトボードなどの表示装置を用いることが多い。
【０００３】
また、遠隔地にいるもの同士が会議を行う場合には、ホワイトボードの表示画面に入力される描画データ、及び、ホワイトボードに表示されている描画データを、リアルタイムに、遠隔地において表示装置の画面に提供する技術が開示されている（特許文献１）。
【０００４】
特許文献１において、通信制御部は、自身の描画画面に描画された描画データを電子データ化し、通信回線を経由して他地点の遠隔地間共有電子ホワイトボードへ送信するとともに、通信回線を経由して他地点の遠隔地間共有電子ホワイトボードから送信されてきた電子データを受信した後、描画データへ変換する。描画画面は、自地点でペンにより描画された描画データをそのまま描画するとともに、通信制御部によって受信／変換された、他地点の遠隔地間共有電子ホワイトボードで描画された描画データを描画するものである。
【先行技術文献】
【特許文献】
【０００５】
【特許文献１】特開２０００−１８８６５５号公報
【発明の概要】
【発明が解決しようとする課題】
【０００６】
しかしながら、遠隔地において、ホワイトボードなどの表示装置の大画面に表示されていく描画データを見ているユーザにとっては、一度に人間が視認できる範囲が限られているので、意識していない表示画面の位置に、描画データが描画される場合がある。
その結果として、意識していない画面の位置に描画データが描画された場合には、ユーザにとって、その描画データを認識しづらくなるという問題がある。
本発明は、遠隔から操作されたデータに基づいて描画による表示を行う表示部を有する端末装置に順次表示されていく表示データを認識しやすくさせることを目的とする。
【課題を解決するための手段】
【０００７】
本発明の一観点によれば、入力を感知するタッチパネルへの被感知手段による入力操作に応じて、受信側端末装置に表示させる表示情報を表示する表示部と、前記受信側端末装置に表示させる表示情報を送信する通信制御部と、入力情報を感知するタッチパネルへの前記被感知手段による近接状態を検出する近接状態検出部と、前記近接状態検出部が前記被感知手段による近接情報を検出すると、前記受信側端末装置において表示させるガイド表示情報を生成するガイド表示情報生成部と、を有し、前記通信制御部は、前記表示情報と前記ガイド表示情報とを送信することを特徴とする送信側端末装置が提供される。
近接状態の検出に応じて、表示情報と対応するガイド表示情報を受信側に送ることで、受信側でこれから表示（描画）される位置等を知らせることができる。
【発明の効果】
【０００８】
本発明によれば、表示情報に基づいて画面に描画される描画データの位置を事前に意識することができる。その結果、ユーザは、大画面の表示部を有する場合であっても描画データを認識しやすくなるという利点がある。
【図面の簡単な説明】
【０００９】
【図１】本発明の一実施の形態による端末装置を用いた遠隔表示システムの一構成例を示す機能ブロック図である。
【図２】図２（ａ）は、中心座標位置の検出の原理の例を示す図である。図２（ｂ）は、高さ検出部５−２−２により、上記電圧値から高さを求め、この高さの値を後述する高さ情報値に変換するための図である。
【図３Ａ】図３Ａ（ａ）は、ガイド表示の表示濃度を決定するための高さ情報値と表示濃度との関係の例を示す図である。図３Ａ（ｂ）は、ガイド表示の大きさを決定するための高さ情報値と表示の大きさとの関係の例を示す図である。
【図３Ｂ】送信側の端末装置Ａと受信側の端末装置Ｂとにおける表示の様子を例示した図である。
【図３Ｃ】ガイド表示の表示位置とガイド表示の指示方向の表示例を示す図である。
【図４】送信側の端末装置における処理の流れを示すフローチャート図である。
【図５】受信側の端末装置における処理の流れを示すフローチャート図である。
【図６Ａ】送信側の端末装置及び受信側の端末装置における操作及び処理について示す図である。
【図６Ｂ】送信側の端末装置及び受信側の端末装置における操作及び処理について示す図である。
【図６Ｃ】送信側の端末装置及び受信側の端末装置における操作及び処理について示す図である。
【図７】図７（ａ）は、図２（ｂ）に対応する図であり、図７（ｂ）は、図３Ａ（ａ）に対応する図である。図７（ｃ）は、図３Ａ（ｂ）に対応する図である。
【発明を実施するための形態】
【００１０】
以下、本発明の実施の形態による表示技術について図面を参照しながら説明を行う。本明細書において、ガイド表示とは、表示装置に表示される位置をユーザに知らせるための表示であり、例として矢印や手のマークなどが挙げられるが、これらに限定されるものではない。
【００１１】
（第１の実施の形態）
まず、本発明の第１の実施の形態について説明する。図１は、本実施の形態による表示装置を用いた表示システムの一構成例を示す機能ブロック図である。
図１に示す表示システムは、送信側の表示装置の例として送信側の端末装置Ａと、受信側の表示装置の例として受信側の端末装置Ｂと、を有している。
【００１２】
送信側の端末装置Ａは、入力・記載された描画データや入力情報を表示する表示部１と、手書き文字等の描画入力を行うことで入力された情報(位置・圧力・電圧等)をＣＰＵに伝えるデータ入出力部２と、手書き文字等の描画入力を行うタッチパネル３と、タッチパネル３に手やペンの先が近接や接触したときの電圧を測定する電圧測定部４と、を有している。尚、表示部１がタッチパネル式の入力装置を備えていても良い。電圧測定部４は、例えば、静電センサなどにより実現することができる。入力情報を感知するタッチパネル３は、手やペンなどの被感知手段による入力情報を検出する。
【００１３】
さらに、送信側の端末装置Ａは、ＣＰＵ（制御部）５、カメラ（撮像部）６、マイク（音入力部）７、通信制御部８等を有する。送信側の端末装置Ａにはカメラ６が搭載され、送信側の映像を、通信制御部８を通して受信側の端末装置Ｂに送ることが可能である。
【００１４】
ＣＰＵ５は、近接状態検出部５−１と、ガイド表示情報生成部５−２と、映像・音声処理部５−３と、を有し、データ入出力部２から受け取った情報から、手などの被感知手段のタッチパネル３への近接状態・表示座標の検出等を行い、カメラ６の映像やマイク７の音を処理し、通信制御部８へ送る。
【００１５】
近接状態検出部５―１は、データ入出力部２から受け取った例えばタッチパネル３への入力情報から、手の近接状態・接触状態を判定し、手が近接していると判断された場合に、ガイド表示情報生成部５−２へその旨の情報を伝える。近接判定部５−１−１は、手がタッチパネル３に近接しているかを判定する。接触判定部５−１−２は、手がタッチパネル３に接触しているかを判定する。
ガイド表示情報生成部５−２は、近接状態検出部５−１の判定結果を受け、ガイド表示をするための座標と近接距離（以下、高さと称する。）とを検出する。
【００１６】
図２（ａ）は、中心座標位置の検出の原理の例を示す図である。手Ｈに持ったペンＳや指などによりそのペン先・指先をタッチパネル３の面に近づけていくと、タッチパネル３が検知する電圧値が変化する。図２（ａ）のタッチパネルのＸ−Ｙ方向に沿った電圧値（Ｘ）と電圧値（Ｙ）とから、中心座標検出部５−２−１は、電圧値（Ｘ）と電圧値（Ｙ）とのそれぞれの値のピーク位置をユーザが指定した中心座標Ｐ（ｘ１，ｙ１）として求めることができる。
【００１７】
図２（ｂ）は、高さ検出部５−２−２により、上記電圧値から高さを求め、この高さの値を後述する高さ情報値に変換するための図である。例えば、高さが５０ｍｍ以上では、高さ情報値が０であり、高さが５ｍｍ以下では、高さ情報値が６などと求めることができる。尚、図２（ｂ）では、ある高さ情報値は、高さの範囲によって一意に決定される例を示したが、検出した高さ方向の値をフィルタリングしてなだらかな変化にしたり、ヒステリシスを持たせる（高さの範囲が重なりを持つようにする）ことで、なだらかな変化にしたりすることが好ましい。
【００１８】
図１の映像・音声処理部５−３は、送信側の端末装置Ａのカメラ６やマイク７で入力された映像や音声の情報を処理する。通信制御部８は、送信側の端末装置Ａのガイド表示情報や映像・音声処理部５−３で処理された映像・音声等の情報を、受信側の端末装置Ｂへ送信する。
【００１９】
受信側の端末装置Ｂは、例えば、通信制御部９と、表示制御部１０と、表示部１１と、タッチパネル１２と、ＣＰＵ１３と、音出力部（スピーカ）１４と、を有している。
通信制御部９は、送信側の端末装置Ａから送られたガイド表示情報や描画データを含む映像・音声等の情報を受信する。表示制御部１０は、ＣＰＵ１３で処理されたガイド情報や描画データ等に基づいて表示部１１におけるガイド表示の表示制御等を行う。表示部１１は、送られた描画データやＣＰＵ１３で処理されたガイド表示情報を表示する。タッチパネル１２は、受信側の端末装置Ｂでも手書き文字入力、描画入力を行うことが可能になっており、表示部１１がタッチパネル式の入力装置を備えていても良い。これにより、双方向でのデータのやり取りが可能である。
【００２０】
ＣＰＵ（制御部）１３は、通信制御部９で受信した情報に基づき、ガイド表示処理を行う。例えば、受信した映像や音声情報を処理する。
ＣＰＵ１３は、ガイド表示情報受信部１３−１と、ガイド表示決定部１３−２と、映像・音声処理部１３−３と、を有する。
【００２１】
ガイド表示情報受信部１３−１は、通信制御部９で受け取ったガイド表示情報をＣＰＵ１３のガイド表示決定部１３−２に送る。
【００２２】
ガイド表示決定部１３−２は、表示濃度決定部１３−２−１と、表示大きさ決定部１３−２−２と、表示位置決定部１３−２−３と、表示色選択部１３−２−４と、表示種類選択部１３−２−５と、を有する。
【００２３】
表示濃度決定部１３−２−１は、送信側の端末装置Ａの高さ検出部５−２−２で決定した高さ情報値に応じて、ガイド表示の濃度である表示濃度を決定する。図３Ａ（ａ）は、ガイド表示の表示濃度を決定するための高さ情報値と表示濃度との関係の例を示す図である。図３Ａ（ａ）に示す例では、図２（ｂ）の高さ情報値０〜６に対応して、高さが高いほど表示濃度が薄くなるように決められている。尚、高さ情報値６で表示無し又は濃度１００％となっているのは、ペンＳの先がタッチパネル３にもうすぐ接触するような場合には、ガイド表示が不要と考えられる場合であり、１００％とした場合には、接触するまではガイド表示を必要とすると考えた場合である。
【００２４】
表示大きさ決定部１３−２−２は、送信側の端末装置Ａの高さ検出部５−２−２で決定した高さ情報値に応じて、ガイド表示の大きさを決定する。図３Ａ（ｂ）は、ガイド表示の大きさを決定するための高さ情報値と表示の大きさとの関係の例を示す図である。図３Ａ（ｂ）に示す例では、図２（ｂ）の高さ情報値０〜６に対応して、高さが高いほどガイド表示の大きさが大きくなるように決められている。尚、高さ情報値６で表示無し又はマーカー表示となっているのは、ペンＳの先がタッチパネル３にもうすぐ接触するような場合には、ガイド表示が不要と考えられる場合であり、マーカー表示とした場合には、接触するまでは何らかのマーカー表示を必要とすると考えた場合である。
【００２５】
図３Ｂは、送信側の端末装置Ａと受信側の端末装置Ｂとにおける表示の様子を例示したシステム構成例を示す図である。左上の図において、送信側の端末装置Ａの表示ＤＡ１に示す画面表示において、画面から一定距離（例えば画面上５ｃｍ程度の位置）に手（ペン先）を近づけると、受信側の端末装置Ｂの表示ＤＢ１に示すように、ガイド表示Ｇ１を表示画面サイズに対して大きく表示し、現在、どの部分を表示しているかなどを良く見えるようにガイドする。表示ＤＡ２に示すように、ある距離から手（ペン先）を画面に例えば画面上１ｃｍの位置まで近づけていくと、表示ＤＢ２に示すように、ガイド表示Ｇ２を、徐々に小さくし色は濃くしていくように表示制御する。
【００２６】
図３Ｃは、ガイド表示の表示位置と方向の表示例を示す図である。表示位置決定部１３−２−３は、受信側の端末装置Ｂの表示部１１を、例えば領域ＡからＤまでに４分割し、受信側の端末装置Ｂで受信した中心座標点の位置に応じて、ガイド表示の表示座標（表示位置）と表示の向きとを決定する。図３Ｃ（ａ）は、領域Ａに中心座標点がある場合の例であり、その中心座標点に指示方向を向けたガイド表示Ｇ１がなされる。図３Ｃ（ｂ）は、領域Ｂに中心座標点がある場合の例であり、その中心座標点に指示方向を向けたガイド表示Ｇ２がなされる。図３Ｃ（ａ）は、領域Ｃに中心座標点がある場合の例であり、その中心座標点に指示方向を向けたガイド表示Ｇ３がなされる。図３Ｃ（ｄ）は、領域Ｄに中心座標点がある場合の例であり、その中心座標点に指示方向を向けたガイド表示Ｇ４がなされる。このように、中心座標点に向けたガイド表示になるように、位置と向きを決めることで、現在表示されていく領域をガイド表示で隠さないようにして表示を見やすくすることができる。
【００２７】
表示色選択部１３−２−４は、ユーザの好みなどに応じて、ガイド表示の種類や色を選択する処理を行う。表示種類選択部１３−２−５は、ユーザの好みなどに応じて、ガイド表示の種類（手の表示、矢印、文字など）を選択できる。
音出力部（スピーカ）１４は、受信した音声を出力する。
【００２８】
以下のＣＰＵにおける制御処理について説明する。受信側の端末装置Ｂでは、送信側の端末装置Ａにおける入力に基づく描画が表示される。送信側の端末装置Ａでの入力に基づく、受信側の端末装置Ｂでの表示がなされる前に、受信側の端末装置Ｂではガイド表示により、これから表示される箇所を事前に明確に示す。ガイド表示のデータ量は少ないため、描画データなどよりも速く表示させることができる。送信側の端末装置Ａでは、手・指・タッチペン等がタッチパネルに近付いてくるのを検出し、手等の近接に応じて、受信側の端末装置Ｂではガイド表示を調整する制御を行う。送信側／受信側の表示部には、同じ表示がされている。
【００２９】
図４は、送信側の端末装置Ａにおける処理の流れを示すフローチャート図である。
送信側では、説明を書き込む等のために、手・指・タッチペン等の被感知手段で、タッチパネルに書き込み入力をする。
【００３０】
まず、ステップＳ１で、送信側タッチパネル３に、手・指・タッチペン等で入力を行う準備をする。ステップＳ２（近接判定）処理では、手・指・タッチペン等が、送信側タッチパネル３に近付いているか否かを、電圧測定部４の測定値から、近接状態検出部５−１で検出し、近接判定部５−１−１で近接しているか否かを判定する。ステップＳ３（接触判定）において、タッチパネル３の電圧の値を近接状態検出部５−１で検出し、接触判定部５−１−２で接触しているか否かを判定する。
【００３１】
ステップＳ３で、接触判定部５−１−２によりタッチパネル３に接触していると判定されると（ＮＯの場合）、ステップＳ７に進み、中心座標検出部５−２−１で検出した座標と高さ情報値“０”を通信制御部８から受信側の端末装置Ｂに送信する（図５の“１”に進む）。
【００３２】
ステップＳ３で、タッチパネル３に近接していて、接触していないと判定されると（ＹＥＳの場合）、ステップＳ４（中心座標検出）に進み、ガイド表示情報生成部５−２の中心座標検出部５−２−１で、ガイド表示の支点となる中心座標を検出する。
【００３３】
次いで、ステップＳ５（高さ検出）に進み、タッチパネル３から中心座標点にある手・指・タッチペン等の高さ（距離）を、電圧値から判定し、高さに応じた高さ情報値を、ガイド表示情報生成部５−２の高さ検出部５−２−２で決定する。
【００３４】
次いで、ステップＳ６（情報送信）において、ガイド表示情報生成部５−２で決定したガイド表示情報（中心座標、高さ情報値）を、通信制御部８で受信側の端末装置Ｂに送信する（図５の“１”に進む）。
【００３５】
図５は、受信側の端末装置Ｂにおける処理の流れを示すフローチャート図であり、（１）から処理が行われる。ここで、受信側の端末装置Ｂでは、ガイド表示の形状・色等をユーザの好みなどで、設定変更できるようにしても良いしデフォルトのままとしても良い。
【００３６】
まず、ステップＳ８（情報受信）で、送信側の端末装置Ａから送られたガイド表示情報を受信側の端末装置Ｂの通信制御部９で受信し、ＣＰＵ１３へガイド表示情報を送る。
【００３７】
ステップＳ９（高さ判定）で、受信したガイド表示情報の高さ情報値を判定する。高さ情報値が例えば、１から５までの間であるか否かを判定する。ここで、ＮＯの場合には、ステップＳ１３（高さ判定）に進み、受信した高さ情報値が“０”であった場合には（ＮＯ）、ガイド表示は終了する。受信した高さ情報値が“６”であった場合には（ＹＥＳ）、ステップＳ１４（高さ判定）に進み、ＮＯであれば処理を終了する。ステップＳ１４でＹＥＳであればステップＳ１０に進む。ここで、受信した高さ情報値“６”であった場合、ユーザの好み等により、表示大きさ決定部１３−２−２で接触している中心座標部分をマーカー表示することも可能である。
【００３８】
ステップＳ１０（ガイド表示の濃度と大きさを決定）においては、高さ情報値に応じて、ガイド表示決定部１３−２の表示濃度決定部１３−２−１でガイド表示の濃度を決定し、表示大きさ決定部１３−２−２で表示の大きさを決定する。
【００３９】
次いで、ステップＳ１１（ガイド表示の向きを決定）において、表示位置決定部１３−２−３では、受信したガイド表示情報の中心座標が受信側表示部１１の区分（例えば、図３ＣのＡからＤまで）のどこに該当するか判定し、該当区分に応じて、表示位置及びガイド表示の向きを決定する。
【００４０】
ステップＳ１２（受信側の端末装置Ｂにガイドを表示）において、ガイド表示決定部１３−２で決定したガイド表示を表示制御部１０に送り、上記の処理で決定した濃度、形状、位置、向きに基づいて表示部１１における表示を制御する。
【００４１】
尚、誤操作等のエラーが発生した際には、ガイド表示を点滅させる等の通常とは異なる表示を行うことで、ユーザに注意を喚起させることができる。
次に、送信側と受信側における実際の操作及び処理の様子について説明する。
【００４２】
まず、図６Ａ・図６Ｂ・図６Ｃは、送信側の端末装置Ａ及び受信側の端末装置Ｂにおける操作及び処理について示す図である。送信側・受信側とも同じデータが表示されている。送信側では、説明書きの為、タッチパネルに手・指・タッチペン等で書き込みをしようとしている状況を前提としている。
【００４３】
これらの図では、タテ方向にそれぞれの端末装置での処理が進んでいき、ヨコ方向に、送信側の端末装置Ａから受信側の端末装置Ｂへのデータ送信処理が示されている。
【００４４】
図６Ａ（ａ）に示すように、送信側の端末装置Ａにおいて、ペン先がタッチパネル３から５０ｍｍ以上離れている状態では、近接判定部５−１−１では近接と判定し、高さ検出部５−２−２では、高さ情報値“０”と判定する。この場合には、図６Ａ（Ａ）に示すように、受信した高さ情報値“０”が通知されるため、ガイド表示はされていない。
【００４５】
ここで、タッチパネル３に手・指・タッチペン等を徐々に近付けていき、図６Ａ（ｂ）に示すように、指・タッチペン等がタッチパネル３から４０ｍｍ〜５０ｍｍの高さにあると、近接判定部５−１−１では、近接と判定し、高さ検出部５−２−２では、高さ情報値“１”と判定する。この場合には、図６Ａ（Ｂ）に示すように、以下のようになる。１）受信した高さ情報値“１”により、表示濃度決定部１３−２−１で、濃度３０％と決定し、表示大きさ決定部１３−２−２で、表示画面の１／５倍と決定する。２）受信した中心座標位置により、表示位置決定部１３−２−３で、表示位置とガイド表示Ｇの向きとを決定する。
【００４６】
さらに、タッチパネル３に手・指・タッチペン等を近付けていき、図６Ａ（ｃ）に示すように、指・タッチペン等がタッチパネル３から３０ｍｍ〜４０ｍｍの高さにあると、近接判定部５−１−１では、近接と判定し、高さ検出部５−２−２では、高さ情報値“２”と判定する。この場合には、図６Ａ（Ｃ）に示すように、以下のようになる。１）受信した高さ情報値“２”により、表示濃度決定部１３−２−１で、濃度４５％と決定し、表示大きさ決定部１３−２−２で、表示画面の１／６倍と決定する。２）受信した中心座標位置により、表示位置決定部１３−２−３で、表示位置とガイド表示Ｇの向きとを決定する。このように、徐々に近付いていくにつれ、ガイド表示は徐々に小さく、色は濃くなっていく。
【００４７】
さらに、タッチパネル３に手・指・タッチペン等を近付けていき、図６Ｂ（ｄ）に示すように、指・タッチペン等がタッチパネル３から２０ｍｍ〜３０ｍｍの高さにあると、近接判定部５−１−１では、近接と判定し、高さ検出部５−２−２では、高さ情報値“３”と判定する。この場合には、図６Ｂ（Ｄ）に示すように、以下のようになる。１）受信した高さ情報値“３”により、表示濃度決定部１３−２−１で、濃度６０％と決定し、表示大きさ決定部１３−２−２で、表示画面の１／７倍と決定する。２）受信した中心座標位置により、表示位置決定部１３−２−３で、表示位置とガイド表示Ｇの向きとを決定する。
【００４８】
さらに、タッチパネル３に手・指・タッチペン等を近付けていき、図６Ｂ（ｅ）に示すように、指・タッチペン等がタッチパネル３から１０ｍｍ〜２０ｍｍの高さになると、近接判定部５−１−１では、近接と判定し、高さ検出部５−２−２では、高さ情報値“４”と判定する。この場合には、図６Ｂ（Ｅ）に示すように、以下のようになる。１）受信した高さ情報値“４”により、表示濃度決定部１３−２−１で、濃度８５％と決定し、表示大きさ決定部１３−２−２で、表示画面の１／８倍と決定する。２）受信した中心座標位置により、表示位置決定部１３−２−３で、表示位置とガイド表示Ｇの向きとを決定する。
【００４９】
さらに、タッチパネル３に手・指・タッチペン等を近付けていき、図６Ｂ（ｆ）に示すように、指・タッチペン等がタッチパネル３から５ｍｍ〜１０ｍｍの高さにあると、近接判定部５−１−１では、近接と判定し、高さ検出部５−２−２では、高さ情報値“５”と判定する。この場合には、図６Ｂ（Ｆ）に示すように、以下のようになる。１）受信した高さ情報値“５”により、表示濃度決定部１３−２−１で、濃度１００％と決定し、表示大きさ決定部１３−２−２で、表示画面の１／９倍と決定する。２）受信した中心座標位置により、表示位置決定部１３−２−３で、表示位置とガイド表示Ｇの向きとを決定する。
【００５０】
さらに、タッチパネル３に手・指・タッチペン等を近付けていき、図６Ｃ（ｇ）に示すように、指・タッチペン等がタッチパネル３から０ｍｍ〜５ｍｍの高さにあると、近接判定部５−１−１では、近接と判定し、高さ検出部５−２−２では、高さ情報値“６”と判定する。この場合には、図６Ｃ（Ｇ）に示すように、以下のようになる。１）受信した高さ情報値“６”により、ガイドは無しになる。或いは、図６Ｃ（Ｈ）に示すように、
ユーザの好みにより、表示濃度決定部１３−２−１で、濃度１００％と決定する。また、表示大きさ決定部１３−２−２で、マーカー表示（例では、下線を引く）と決定することもできる。
【００５１】
以上に示すように、表示装置の画面に入力された描画データが、描画される画面の箇所を事前に意識することができる。その結果として、ユーザは、描画データを認識しやすくなるという利点がある。
【００５２】
（第２の実施の形態）
次に、本発明の第２の実施の形態による表示装置について説明する。第１の実施の形態ではガイド表示の濃淡と大きさを連動させて変更した例を示した。ここで、本実施の形態では、ガイド表示の濃淡と大きさのいずれか一方のみを表示制御することを特徴とする。
例えば、高さが小さくなるに従って、ガイド表示を小さくする表示制御を行う。或いは、高さが小さくなるに従って、ガイド表示の濃淡を濃くする表示制御を行う。この表示制御は、逆であっても良い。
【００５３】
（第３の実施の形態）
次に、本発明の第３の実施の形態による表示技術について図面を参照しながら説明を行う。
図２（ｂ）に代えて、図７（ａ）に示す図を用いる（破線）。また、図３Ａ（ａ）に代えて、図７（ｂ）に示す図を用いる（破線）。また、図３Ａ（ｂ）に代えて、図７（ｃ）に示す図を用いる（破線）。このように、第２の実施の形態では、第１の実施の形態と異なり、高さの範囲に高さ情報値が線形に変化し、なだらかな変化となる。受信側の端末装置Ｂでも、高さ情報値がなだらかに変化する状態に対応して濃度や大きさがなだらかに変化するようにしても良い（Ｌ１２）。或いはヒステリシスを持たせても良い。
【００５４】
すなわち、破線Ｌ１１の境界ラインＬ１１ａで高さ情報値を厳密に変化させてしまうと、例えば、高さ３０ｍｍ近辺で、手・指・タッチペン等が近付いたり離れたりしたときに、実際にはリニアに動いていなかったり、信号にノイズが含まれるため、高さ情報値が破線の境界ライン付近で２→２→３→２→３→２→３→３というようにばたつきをもつ変化となり、ガイド表示の大きさが、頻繁に変わってしまうという問題が生じうる。
【００５５】
そこで、図７（ａ）を例に説明するように、手・指・タッチペン等が、タッチパネルに近付いて行く時に破線のラインＬ１３に、タッチパネルから離れていく時に点線のラインＬ１４になるように、タッチパネルに近づく場合と離れる場合で、高さに対する閾値（縦線）を変えるようにする。これにより、出力する高さ情報値がばたつく変化をする可能性が低くなる。図７（ｂ）、図７（ｃ）も同様である。
以上に説明したように、本実施の形態では、ガイド表示の変化がなだらかになるため、違和感がなくなるという利点がある。
【００５６】
（第４の実施の形態）
本発明の第４の実施の形態は、図２（ｂ）の変換表や、図３Ａ（ａ）、（ｂ）の表示属性表を複数種類有しており、送信側の端末装置Ａ又は受信側の端末装置Ｂのいずれか一方の指定により任意に選択できるように構成されている。或いは、遠隔操作により、逆側の装置により変更できるようにしても良い。
【００５７】
（第５の実施の形態）
次に、本発明の第５の実施の形態について説明する。本発明の第５の実施の形態は、第１から第４までの各実施の形態において、より具体的なシステムとして利用した例を示すものである。ここでは、通信を利用した家庭教師システムについて説明する。
【００５８】
図１に示すように、送信側の端末装置Ａは先生側の端末装置であり、受信側の端末装置Ｂは生徒側の端末装置である。
【００５９】
先生側の端末装置Ａを用いて、生徒側の端末装置Ｂから提出された答案について解説する際に、先生側の端末装置Ａは端末上の説明箇所を示そうとしてタッチパネル３に手を近づける。タッチパネル３に手が近付いていくと、図２（ａ）に示すように、タッチパネルの出力は、山のように盛り上がりピークを持つ。その盛り上がりのピーク値が、ある値以上になると、近接判定部５−１−１で近接していると判定される（図４のステップＳ２）。ピークの盛り上がりとピークの鋭さとが、一定以上の場合になると、接触判定部５−１−２で、ペン等が接触していると判定される（ステップＳ３）。
【００６０】
ステップＳ３で接触していると判定されると、中心座標検出部５−２−１で中心座標を検出し、高さ情報値“６”を、通信制御部８を通して受信側（生徒側）端末装置Ｂに送信する（ステップＳ７)。
【００６１】
一方、ペン先等がタッチパネル３に接触していないと判定されると、中心座標検出部５−２−１が中心座標を検出し（ステップＳ４）、高さ検出部５−２−２が、高さ情報値を判定し（ステップＳ５）、通信制御部８が受信側の端末装置Ｂへ高さ情報値を含めた表示用描画データを送信する（ステップＳ６）。受信側（生徒側）の端末装置Ｂは、送信側の端末装置Ａから受け取ったガイド表示情報を元にガイド表示の濃度や大きさを決定し、表示する。
【００６２】
ここで、生徒側の端末装置Ｂは、複数台（ｎ台）あっても良い。１人の先生が複数の生徒を教えるのが一般的だからである。ｎ台の生徒側の端末装置Ｂに、それぞれＩＤを付しておき、ＩＤ毎に異なる表示変換表（図３Ａ（ａ）、（ｂ））を持たせて、濃度や大きさ、向きの異なるガイド表示をわせるようにしても良い。すなわち、送信側の端末装置Ａにおいて、生徒側の端末装置Ｂの利用者の年齢や視力等に応じて、ガイド表示を変更できるようにしても良い。
このようにすると、生徒側に適したガイド表示を行わせることが可能である。
【００６３】
なお、処理および制御は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）によるソフトウェア処理、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）によるハードウェア処理によって実現することができる。
【００６４】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
また、本発明の各構成要素は、任意に取捨選択することができ、取捨選択した構成を具備する発明も本発明に含まれるものである。
【００６５】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００６６】
また、「コンピュータシステム」は、ＷＷＷシステムを利用している場合であれば、ホームページ提供環境（あるいは表示環境）も含むものとする。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【００６８】
（付記）
本発明は、以下の開示を含む。
（１）
入力を感知するタッチパネルへの被感知手段による入力操作に応じて、受信側端末装置に表示させる表示情報を表示する表示部と、
受信側端末装置に表示させる表示情報を送信する通信制御部と、
入力情報を感知するタッチパネルへの被感知手段による近接状態を検出する近接状態検出部と、
前記近接状態検出部が前記被感知手段による近接情報を検出すると、前記受信側端末装置において表示させるガイド表示情報を生成するガイド表示情報生成部と、を有し、
前記通信制御部は、前記表示情報と前記ガイド表示情報とを送信する送信側端末装置。
近接状態の検出に応じて、表示情報と対応するガイド表示情報を受信側に送ることで、受信側でこれから表示（描画）される位置等を知らせることができる。
（２）
前記被感知手段と前記タッチパネルとの近接距離に依存する電圧値を測定する電圧測定部を有し、
前記ガイド表示情報生成部は、
前記電圧測定部による電圧値に応じて、前記タッチパネルにおける前記被感知手段が近接する中心座標位置を求める中心座標位置検出部を有することを特徴とする（１）に記載の送信側端末装置。
被感知手段とタッチパネルとの距離（高さ）に依存するガイド表示とすることで、近接距離をリアルタイムに反映したガイド表示を知らせることができる。
（３）
前記被感知手段と前記タッチパネルとの近接距離に依存する電圧値を測定する電圧測定部を有し、
前記ガイド表示情報生成部は、
前記電圧測定部による電圧値に応じて、前記タッチパネルからみた前記被感知手段の高さを求める高さ検出部を有することを特徴とする（１）又は（２）に記載の送信側端末装置。
送信側に高さ検出部を設けることで、高さ（近接距離）を受信側に伝えることが簡単にできる。
（４）
送信側端末装置から送られた表示情報を受信する通信制御部と、
前記表示情報に関連付けされたガイド表示情報が検出されると、前記ガイド表示情報に基づくガイド表示を、前記表示情報に基づく表示とともに表示部に表示させるガイド表示決定部と
を有することを特徴とする受信側端末装置。
送信側からのガイド表示の指示に応じて、ガイド表示を行うことで、送信側の意図を反映することができる。
（５） 
前記ガイド表示決定部は、
前記ガイド表示情報に高さ情報値が関連付けされている場合には、前記高さ情報値に応じて前記ガイド表示の濃度又は大きさの少なくともいずれか一方を決定することを特徴とする（４）に記載の受信側端末装置。
送信側からの高さ情報値に応じて、ガイド表示の濃度又は大きさの少なくともいずれか一方を決定することで、送信側の意図を反映することができる。
（６）
前記ガイド表示決定部は、
前記ガイド表示情報に高さ情報値が関連付けされている場合には、
前記ガイド表示情報の色、形、模様、またはそれらの結合を変更させることを特徴とする（４）又は（５）に記載の受信側端末装置。
送信側からの高さ情報値に応じて、ガイド表示情報の色、形、模様、またはそれらの結合を変更させることで、送信側の意図を反映することができる。
（７）
前記ガイド表示決定部は、
前記ガイド表示情報に中心座標位置情報が関連付けされている場合には、前記中心座標情報に含まれる中心座標点に応じて前記ガイド表示の指示方向を前記中心座標位置に向けた方向に決定することを特徴とする（４）から（６）までのいずれか１に記載の受信側端末装置。
このように、中心座標点に向けたガイド表示になるように、位置と向きを決めることで、現在表示されていく領域をガイド表示で隠さないようにして表示を見やすくすることができる。
（８）
（１）から（３）までのいずれか１に記載の送信側端末装置と、
（４）から（７）までのいずれか１に記載の受信側端末装置と、を有する遠隔表示システム。
（９）
入力を感知するタッチパネルへの被感知手段による入力操作に応じて、受信側端末装置に表示させる表示情報を表示する表示部と、
受信側端末装置に表示させる表示情報を送信する通信制御部と、を有する送信側端末装置における制御方法であって、
入力情報を感知するタッチパネルへの被感知手段による近接状態を検出する近接状態検出ステップと、
前記近接状態検出ステップで前記被感知手段による近接情報を検出すると、前記受信側端末装置において表示させるガイド表示情報を生成するガイド表示情報生成ステップと、
前記通信制御部が、前記表示情報と前記ガイド表示情報とを送信するステップとを有する制御方法。
（１０）
送信側端末装置から送られた表示情報を受信する通信制御部を有し、
前記表示情報に関連付けされたガイド表示情報が検出されると、前記ガイド表示情報に基づくガイド表示を、前記表示情報に基づく表示とともに表示部に表示させるガイド表示決定ステップと
を有することを特徴とする受信側端末装置における制御方法。
（１１）
（９）又は（１０）に記載の制御方法をコンピュータに実行させるためのプログラム。
（１２）
（１１）に記載のプログラムを記録するコンピュータ読み取り可能な記録媒体。
【産業上の利用可能性】
【００６９】
本発明は、表示部を有する端末装置に利用可能である。
【符号の説明】
【００７０】
Ａ…送信側の端末装置、１…表示部、２…データ入出力部、３…タッチパネル、４…電圧測定部、５…ＣＰＵ（制御部）、５−１…近接状態検出部、５−２…ガイド表示情報生成部、５−３…映像・音声処理部、６…カメラ（撮像部）、７…マイク（音入力部）、８…通信制御部、５−１−１…近接判定部、５−１−２…接触判定部、５−２−１…中心座標検出部、５−２−２…高さ検出部、Ｂ…受信側の端末装置、９…通信制御部、１０…表示制御部、１１…表示部、１２…タッチパネル、１３…ＣＰＵ、１３−１…ガイド表示情報受信部、１３−２…ガイド表示決定部、１３−３…映像・音声処理部、１３−２−１…表示濃度決定部、１３−２−２…表示大きさ決定部、１３−２−３…表示位置決定部、１３−２−４…表示色選択部、１３−２−５…表示種類選択部、１４…音出力部（スピーカ）。
【図１】
2015053597.tif 000003
【図２】
2015053597.tif 000004
【図３Ａ】
2015053597.tif 000005
【図３Ｂ】
2015053597.tif 000006
【図３Ｃ】
2015053597.tif 000007
【図４】
2015053597.tif 000008
【図５】
2015053597.tif 000009
【図６Ａ】
2015053597.tif 000010
【図６Ｂ】
2015053597.tif 000011
【図６Ｃ】
2015053597.tif 000012
【図７】
2015053597.tif 000013